【手続補正書】
【提出日】平成30年8月1日(2018.8.1)
【手続補正１】
【補正対象書類名】明細書
【補正対象項目名】発明の名称
【補正方法】変更
【補正の内容】
【発明の名称】表示端末装置、表示装置、データ処理方法及びデータ処理プログラム
【手続補正２】
【補正対象書類名】特許請求の範囲
【補正対象項目名】全文
【補正方法】変更
【補正の内容】
【特許請求の範囲】
【請求項１】
表示装置に接続される表示端末装置であって、
前記表示装置に出力する表示データを、前記表示データに指定されている出力タイミングである指定出力タイミングで前記表示装置に出力するか、前記指定出力タイミングから遅延させて前記表示装置に出力するかを判定する出力制御部と、
前記出力制御部により前記表示データを前記指定出力タイミングで前記表示装置に出力すると判定された場合に、前記表示データを前記指定出力タイミングで前記表示装置に出力し、前記出力制御部により前記表示データを前記指定出力タイミングから遅延させて前記表示装置に出力すると判定された場合に、前記表示データを前記指定出力タイミングから遅延させて前記表示装置に出力する出力部とを有する表示端末装置。
【請求項２】
前記出力制御部は、
前記表示データを前記指定出力タイミングから遅延させて前記表示装置に出力すると判定した場合に、前記指定出力タイミングからの遅延時間を算出し、
前記出力部は、
前記出力制御部により前記表示データを前記指定出力タイミングから遅延させて前記表示装置に出力すると判定された場合に、前記指定出力タイミングから前記遅延時間分遅延させて前記表示データを前記表示装置に出力する請求項１に記載の表示端末装置。
【請求項３】
前記出力制御部は、
連続して前記表示装置に出力する複数の表示データのうちの任意の位置の表示データを、当該表示データの指定出力タイミングで前記表示装置に出力するか、遅延させて前記表示装置に出力するかを判定する請求項１に記載の表示端末装置。
【請求項４】
前記出力制御部は、
前記複数の表示データのうちの先頭の表示データを、当該先頭の表示データの指定出力タイミングで前記表示装置に出力するか、遅延させて前記表示装置に出力するかを判定する請求項３に記載の表示端末装置。
【請求項５】
前記出力制御部は、
表示データごとに、各表示データを、各表示データの指定出力タイミングで前記表示装置に出力するか、各表示データの指定出力タイミングから遅延させて前記表示装置に出力するかを判定する請求項１に記載の表示端末装置。
【請求項６】
前記出力制御部は、
前記表示装置に次に出力する次出力表示データと、前記次出力表示データの１つ前に前記表示装置に出力する前出力表示データとを比較し、比較結果に基づき、前記次出力表示データを、前記次出力表示データの指定出力タイミングで前記表示装置に出力するか、前記次出力表示データの指定出力タイミングから遅延させて前記表示装置に出力するかを判定する請求項１に記載の表示端末装置。
【請求項７】
前記出力制御部は、
前記次出力表示データと前記前出力表示データとの比較の結果、前記次出力表示データと前記前出力表示データとの差異が既定レベル以上である場合に、前記次出力表示データを、前記次出力表示データの指定出力タイミングで前記表示装置に出力すると判定し、前記次出力表示データと前記前出力表示データとの差異が前記既定レベル未満である場合に、前記次出力表示データを、前記次出力表示データの指定出力タイミングから遅延させて前記表示装置に出力すると判定する請求項６に記載の表示端末装置。
【請求項８】
前記出力制御部は、
他の表示端末装置が前記他の表示端末装置に接続する表示装置に表示データを出力する際の遅延時間を前記他の表示端末装置から受信し、前記他の表示端末装置から受信した遅延時間に基づき、前記指定出力タイミングからの遅延時間を算出する請求項２に記載の表示端末装置。
【請求項９】
前記出力制御部は、
算出した遅延時間を、前記他の表示端末装置とは異なる他の表示端末装置に送信する請求項８に記載の表示端末装置。
【請求項１０】
前記表示端末装置は、
相互に隣接して配置される複数の表示装置のうちのいずれかの表示装置に接続され、
前記出力制御部は、
接続先の表示装置である接続先表示装置の走査線に垂直の方向で、前記接続先表示装置の走査線のうち最先に表示が行われる走査線に最も近い前記接続先表示装置の辺に隣接している表示装置に接続される他の表示端末装置から遅延時間を受信する請求項８に記載の表示端末装置。
【請求項１１】
前記出力制御部は、
前記接続先表示装置の走査線に垂直の方向で、前記接続先表示装置の走査線のうち最後に表示が行われる走査線に最も近い前記接続先表示装置の辺に隣接している表示装置に接続される他の表示端末装置に、算出した遅延時間を送信する請求項１０に記載の表示端末装置。
【請求項１２】
前記表示端末装置は、
相互に隣接して配置される複数の表示装置のうちのいずれかの表示装置に接続され、
前記出力制御部は、
接続先の表示装置である接続先表示装置に出力する表示データを、前記複数の表示装置で共通する出力タイミングである指定出力タイミングで前記表示装置に出力するか、前記指定出力タイミングから遅延させて前記表示装置に出力するかを判定する請求項１に記載の表示端末装置。
【請求項１３】
表示データを表示する表示部と、前記表示部に前記表示データを出力する表示端末部を有する表示装置であって、
前記表示端末部が、
前記表示部に出力する前記表示データを、前記表示データに指定されている出力タイミングである指定出力タイミングで前記表示部に出力するか、前記指定出力タイミングから遅延させて前記表示部に出力するかを判定する出力制御部と、
前記出力制御部により前記表示データを前記指定出力タイミングで前記表示部に出力すると判定された場合に、前記表示データを前記指定出力タイミングで前記表示部に出力し、前記出力制御部により前記表示データを前記指定出力タイミングから遅延させて前記表示部に出力すると判定された場合に、前記表示データを前記指定出力タイミングから遅延させて前記表示部に出力する出力部とを有する表示装置。
【請求項１４】
表示装置に接続されるコンピュータが行うデータ処理方法であって、
前記表示装置に出力する表示データを、前記表示データに指定されている出力タイミングである指定出力タイミングで前記表示装置に出力するか、前記指定出力タイミングから遅延させて前記表示装置に出力するかを前記コンピュータが判定する出力制御ステップと、
前記出力制御ステップにより前記表示データを前記指定出力タイミングで前記表示装置に出力すると判定された場合に、前記コンピュータが前記表示データを前記指定出力タイミングで前記表示装置に出力し、前記出力制御ステップにより前記表示データを前記指定出力タイミングから遅延させて前記表示装置に出力すると判定された場合に、前記コンピュータが前記表示データを前記指定出力タイミングから遅延させて前記表示装置に出力する出力ステップとを有するデータ処理方法。
【請求項１５】
表示装置に接続されるコンピュータに、
前記表示装置に出力する表示データを、前記表示データに指定されている出力タイミングである指定出力タイミングで前記表示装置に出力するか、前記指定出力タイミングから遅延させて前記表示装置に出力するかを判定する出力制御ステップと、
前記出力制御ステップにより前記表示データを前記指定出力タイミングで前記表示装置に出力すると判定された場合に、前記表示データを前記指定出力タイミングで前記表示装置に出力し、前記出力制御ステップにより前記表示データを前記指定出力タイミングから遅延させて前記表示装置に出力すると判定された場合に、前記表示データを前記指定出力タイミングから遅延させて前記表示装置に出力する出力ステップとを実行させるデータ処理プログラム。